【手続補正書】
【提出日】平成16年1月16日(2004.1.16)
【手続補正１】
【補正対象書類名】特許請求の範囲
【補正対象項目名】全文
【補正方法】変更
【補正の内容】
【特許請求の範囲】
【請求項１】
ケースにスライド可能なように収められ、各キーが複数の文字または記号と関連付けられる幾何学形の複数のキーと、
出力情報に従い、キー作動信号を生成するよう構成されたプロセス構成部分、および生成キー作動信号に基づき、1つか複数のキーを作動するよう構成した、キー作動ドライバーを含むキー・ドライバー・システムとを含む、
ユーザー・インターフェースデバイス。
【請求項２】
キー作動ドライバーが、
1つまたは複数のキーを、キーの表面とほぼ平行な方向に動くよう構成した横作動構成部分と、
複数キーのうち、該当する1つまたはそれ以上のキーを、その表面にほぼ垂直な方向に動くよう構成された、キー識別子構成部分とを含む、請求項1のデバイス。
【請求項３】
横作動構成部分は、複数の電磁石で構成されている、請求項2のデバイス。
【請求項４】
キー識別子構成部分は複数のソレノイドで構成され、各ソレノイドがそれぞれのキーに割り当てられている、請求項2のデバイス。
【請求項５】
各キーは六角形をしている請求項2のデバイス。
【請求項６】
横作動構成部分は複数のキーをその各端の方向へ作動する、請求項5のデバイス。
【請求項７】
キーに関連付けた文字と記号は、更に横作動方向に関連づけられており、出力情報はテキスト・メッセージであり、
プロセス構成部分は、テキスト・メッセージを根幹構成部分に解析するよう構成されており、根幹構成部分とはキーに関連付けた文字または記号の一つに相当し、各根幹構成部分に対して一対のキー作動信号を生成し、生成された一対のキー作動信号は、横作動構成部分を方向付ける横信号とキー識別子構成部分の1つを方向付けるキー信号を含む、請求項2のデバイス。
【請求項８】
1つか複数の根幹構成部分は、横作動方向とキーと関連付けられた1つか複数の言葉に相当する、請求項7のデバイス。
【請求項９】
複数の幾何学形のキーを使用し、各キーは複数の文字または機能に関連付けられているユーザー・インターフェース方法であり、
テキスト・メッセージを根幹構成部分に解析し、各根幹構成部分は、キーに付随する文字または記号に相当し、
各根幹構成部分に基づいて、一対のキー制御信号を生成し、
生成された一対のキー制御信号に基づき、1つか複数のキーを2つの方向へ動かし、
キーに付随する各文字と記号は、更に横作動方向に関連付けられることを含む方法。
【請求項１０】
1つか複数の根幹構成部分は、横作動方向およびキーに付随する1つか複数の言葉に相当する、請求項9の方法。
【請求項１１】
複数のキーがケースにスライド可能なように収めてあり、各キーは複数の文字または記号に関連付けられ、
出力情報に従ってキー作動信号を生成する処理手段と、
生成されたキー作動信号に従って1つか複数のキーを作動する、キー作動ドライバー手段とを含むキー・ドライバー・システムとを含む、
ユーザー・インターフェース・デバイス。
【請求項１２】
キー作動ドライバー手段が、
1つか複数キーを、キーの表面とほぼ平行の方向に動かす、横作動手段と、
複数キーのそれぞれを、キーの表面とほぼ垂直の方向に動かす、キー識別子手段とを含む、請求項11のデバイス。
【請求項１３】
横作動手段は、複数の電磁石から成る請求項12のデバイス。
【請求項１４】
キー識別子手段は、複数のソレノイドからなり、各ソレノイドは別々のキーに割り当てられている、請求項12のデバイス。
【請求項１５】
各キーは六角形である請求項12のデバイス。
【請求項１６】
横作動手段は、複数キーをキーの各端方向へ作動させる、請求項15のデバイス。
【請求項１７】
キーに付随する各文字と記号は、更に横作動方向と関連付けられ、出力情報はテキストメッセージであり、
処理手段は更に、テキスト・メッセージを根幹構成部分に解析し、根幹構成部分は、キーに付随する1文字か記号に相当し、各根幹構成部分に対して一対のキー作動信号を生成し、生成される一対のキー作動信号は、横作動手段を方向付ける第一信号とキー識別子手段を方向付ける第二信号を含む、請求項12のデバイス。
【請求項１８】
1つか複数の根幹構成部分は、横作動方向およびキーに付随する、1つか複数の言葉に相当する、請求項17のデバイス。
【請求項１９】
スライドできるようにケースに収められており、各キーは複数文字、機能または記号と関連づけられた複数の幾何学形キーと、
出力情報に従って、キー作動信号を生成するよう構成されたプロセス構成部分、および
生成されたキー作動信号に基づき、1つか複数のキーを作動するよう構成されたキー作動ドライバーを含むキー・ドライバー・システムと、
1つか複数のキーに掛けた力を検出するよう構成された力ディテクターと、
複数のキーの作動方向を感知するよう構成された横動作センサーと、
検出された力および感知された移動方向に基づき、最低1つの文字か機能を選択する選択構成部分とを含む、
ユーザー・インターフェース・デバイス。
【請求項２０】
スライド可能なようにケースに収まる複数の幾何学形キーで、各キーは複数の文字や機能が付随し、更に複数のキーは、ほぼ一緒にスライドできるように連結されており、
１つか複数のキーに掛けられた力を検出する力センサー、
複数のキーの作動方向を感知する横作動センサー、
検出された力および作動方向に基づき、文字または機能の最低一つを選択する選択構成部分を含む、
ユーザー・インターフェース・デバイス。
【請求項２１】
横作動センサーは、方向センサーと距離センサーから成り、横作動センサーが感知する横作動と距離センサーが感知する距離値に基づいて、作動方向が感知される請求項２０のユーザー・インターフェース・デバイス。
【請求項２２】
横作動センサーは複数のキー装着アクティベーターとケース装着センサーから成り、ケース装着センサーは、キー装着アクティベーターが限度距離内に来ると感知し、限度距離内のアクティベーターを感知したケース装着センサーに基づいて、作動方向が検知される請求項２０のユーザー・インターフェース・デバイス。
【請求項２３】
更には、検出する力と作動方向に基づき、選択文字または機能を提示する出力デバイスからなる請求項２０のユーザー・インターフェース・デバイス。
【請求項２４】
選択構成部分で選択する文字または機能は、力を検知するキーに関連付けられている請求項２０のユーザー・インターフェース・デバイス。
【請求項２５】
各キーに関連する各文字および機能は、更に複数キーの作動方向に関連付けられる請求項２４のユーザー・インターフェース・デバイス。
【請求項２６】
選択構成部分で選択する文字または機能は、感知する作動方向に最も近いキーの方向に関連付けられる請求項２５のインターフェース・デバイス。
【請求項２７】
選択構成部分は、感知する作動方向または検出される力が一連のセンサー検出の初めにくるかどうかに関わらず、文字または機能の第一セットから選択し、ただし、力が最初に検出される場合は、次に来る限度量以上の検知作動方向が、力検出から限度期間内に来ること、そして一連のセンサー検出で検出される力に続く作動方向が、検出力から限度期間内に来ない場合は、選択構成部分は、文字または機能の第二セットから選択するものとする請求項２０のユーザー・インターフェース・デバイス。
【請求項２８】
更に親指制御パッドは、ケース内で移動可能である請求項２０のユーザー・インターフェース・デバイス。
【請求項２９】
方向センサーは更に、親指制御パッドの方向を検出できるよう構成されている請求項２０のユーザー・インターフェース・デバイス。
【請求項３０】
親指制御パッドの動作は、親指制御パッドが動くとおりの作動方向に複数のキーが動く請求項２０のユーザー・インターフェース・デバイス。
【請求項３１】
複数のキーは円形をしている請求項２０のユーザー・インターフェース・デバイス。
【請求項３２】
キーは六角形をしている請求項２０のユーザー・インターフェース・デバイス。
【請求項３３】
更に、ケース内にスライド可能なように収まる二番目のキーセットで、各キーは複数の文字または機能に付随し、複数のキーはさらに、ほぼ一緒にスライドできるよう連結されており、
また、力ディテクターは、１つか複数のキーに係る力を検出し、方向センサーは、複数のキーからなる第二セットの作動方向を検出し、また選択構成部分は、複数キーの第二セットに係り検出される力と作動方向に基づき、複数キーの第二セットに関連する複数の文字または機能のうち最低１つを選択する請求項２０のユーザー・インターフェース・デバイス。
【請求項３４】
ケース内で移動できる一対の親指制御パッドで、各親指制御パッドは複数キーセットのうちの１つと関連付けられている請求項３３のユーザー・インターフェース・デバイス。
【請求項３５】
方向センサーは更に、親指制御パッドの作動方向を検出するよう構成されている請求項３４のユーザー・インターフェース・デバイス。
【請求項３６】
各親指制御パッドは、該当する複数キーセットを親指制御パッドの動きと同じ作動方向に動かす請求項３５のユーザー・インターフェース・デバイス。
【請求項３７】
複数キーの第一セットと第二セットの複数キーは円形をしている請求項３３のユーザー・インターフェース・デバイス。
【請求項３８】
複数キーの第一セットと第二セットは六角形をしている請求項３３のユーザー・インターフェース・デバイス。
【請求項３９】
複数の文字は、英語のアルファベット文字からなり、複数キーの第一セットと第二セットに付随する複数キーは、ほぼＱＷＥＲＴＹ、アルファベットまたはＤｖｏｒａｋ関係に配置されている請求項３３のユーザー・インターフェース・デバイス。
【請求項４０】
力ディテクターは、最大力が検出されたキーを識別するためのキー識別構成部分からなる請求項２０のユーザー・インターフェース・デバイス。
【請求項４１】
複数の幾何学形をしたキーを使ったユーザー・インターフェース方法であり、
各キーは複数の文字または機能を付随し、
複数キーのうち１つかそれ以上に係る力を検出し、
複数キーのうち１つかそれ以上の作動方向を検出し、
検出された力および感知する作動方向に基づき、最低１つの文字または機能を選択する方法。
【請求項４２】
作動方向の検出は横動作と距離の感知からなり、作動方向の検出は、横動作と距離値の感知に基づく請求項４１の方法。
【請求項４３】
更に、検出される力および感知する作動方向に基づき、検出される最低１つの文字または機能を表示する請求項４１の方法。
【請求項４４】
選択構成部分で選択する文字または機能は、力が検知されたキーに付随する請求項４１の方法。
【請求項４５】
各キーに関連付けられた各文字および機能は、更に複数キーの作動方向と関連付けられる請求項４４の方法。
【請求項４６】
選択構成部分が選択する文字または機能は、検知された作動方向に最も近いキーの方向に付随する請求項４５の方法。
【請求項４７】
選択は、一連のセンサー検出において、作動方向が力より前に検出されたかどうかを決定し、一連のセンサー検出において作動方向が力の前に検出される場合、複数文字または機能の第一セットから選択し、一連のセンサー検出において力が作動方向の前に検出される場合、複数文字または機能の第二セットから選択することから成る請求項４１の方法。
【請求項４８】
選択は、一連のセンサー検出において、作動方向か力のどちらが初めに検出されるかに関係なく、複数文字か機能の第一セットから選択され、ただし、力が初めに検出された場合、次に続く作動方向は、力の検出から限度時間内に検出されることとし、また一連の検出で、力に続く作動方向が力の検出から限度時間内に検出されない場合は、複数の文字または機能の第二セットから選択するものとすることから成る請求項４１の方法。
【請求項４９】
力の検出は、最大力が検出されたキーの識別から成る請求項４１の方法。
【請求項５０】
ケース内にスライド可能なように収まる複数の幾何学形のキーであり、各キーは複数の文字または機能に関連付けられており、複数のキーは更に、ほぼ一緒にスライドできるよう連結されており、
複数キーの１つまたは複数に係る力を検出する、力ディテクター、
複数キーの作動方向を感知する、横動作センサー、
検出する力と作動方向に基づき、最低１文字か１機能を選択する選択構成部分からなるユーザー・インターフェース・デバイス。
【請求項５１】
横作動センサーは
横動作を感知する方向センサーと、
距離値を感知する距離センサーとからなり、
また、作動方向は、検出される横動作および距離値を基に感知する請求項５０のユーザー・インターフェース・デバイス。
【請求項５２】
横動作センサーは、
複数のキー装着アクティベーターと、
キー装着アクティベーターが限度距離内になると感知する、ケース装着センサーとからなり、
また、限度距離内のアクティベーターを感知するケース装着センサーに基づき、作動方向が感知される請求項５０のユーザー・インターフェース・デバイス。
【請求項５３】
検出された力と作動方向に基づき、選択された文字または機能を提示する出力方法からなる請求項５０のユーザー・インターフェース・デバイス。
【請求項５４】
選択構成部分で選択した文字または機能は、力が検出されたキーに付随する請求項５０のユーザー・インターフェース・デバイス。
【請求項５５】
各キーに付随する各文字と機能は、更に複数キーの作動方向に関連付けられている請求項５４のユーザー・インターフェース・デバイス。
【請求項５６】
選択構成部分で選択する文字または機能は、検出作動方向に最も近いキーの方向に付随する文字または機能である請求項５５のユーザー・インターフェース・デバイス。
【請求項５７】
一連のセンサー検出において、作動方向と力のどちらが初めに検出されるかに関わらず、文字または機能の第一セットから選択構成部分は選択し、ただし、力が初めに検出される場合、それに続く限度量以上の作動方向の検出は、力の検出から限度時間内に発生するものとし、また一連のセンサー検出において、力の検出に続く作動方向の検出が力の検出から限度時間内に発生しない場合は、選択構成部分は、文字または機能の第二セットから選択するものとする請求項５６のユーザー・インターフェース・デバイス。
【請求項５８】
更に、ケース内で移動可能な親指制御手段を含む請求項５０のユーザー・インターフェース・デバイス。
【請求項５９】
方向センサーは更に、親指制御制御手段の作動方向を検出するよう構成されている請求項５０のユーザー・インターフェース・デバイス。
【請求項６０】
親指制御手段は、複数のキーを親指制御パッドが動くのと同じ方向に動かす請求項５０のユーザー・インターフェース・デバイス。
【請求項６１】
複数のキーは円形をしている請求項５０のユーザー・インターフェース・デバイス。
【請求項６２】
キーは六角形をしている請求項５０のユーザー・インターフェース・デバイス。
【請求項６３】
スライド可能なようにケースに収まる第二セットの複数キーで、各キーは複数の文字または機能と関連付けられており、複数のキーは更にほぼ一緒にスライドできるよう連結されており、
また、力ディテクターは、複数キーの第二セットのうち１つかそれ以上に係る力を検出するよう構成されており、方向センサーは、複数キーの第二セットの作動方向を検出するよう構成されており、また、複数の第二セットキーにかかり検出された力および作動方向に基づき、複数キーの第二セットに割当てられた複数の文字または機能のうち１つまたは複数を選択構成部分が選ぶことから成る、請求項５０のユーザー・インターフェース・デバイス。
【請求項６４】
更に、ケース内で移動可能な一対の親指制御パッドを含み、各親指制御パッドは、複数キーセットのうち１つに関連付けられている請求項６３のユーザー・インターフェース・デバイス。
【請求項６５】
方向センサーは更に、親指制御パッドの作動方向を検出するよう構成されている請求項６４のユーザー・インターフェース・デバイス。
【請求項６６】
各親指制御パッドの動作は、該当する複数のキーセットを親指制御パッドの動きと同じ作動方向に動かす請求項６５のユーザー・インターフェース・デバイス。
【請求項６７】
第一セットと第二セットの複数キーは円形をしている請求項６３のユーザー・インターフェース・デバイス。
【請求項６８】
第一セットと第二セットの複数キーは六角形をしている請求項６３のユーザー・インターフェース・デバイス。
【請求項６９】
複数文字は英語のアルファベット文字からなり、第一セットと第二セットの複数キーに付随する複数文字は、ほぼＱＷＥＲＴＹ、アルファベットまたはＤｖｏｒａｋ関係の内最低１つで配置されている請求項６３のユーザー・インターフェース・デバイス。
【請求項７０】
力ディテクターは、最大力が検出されるキーを識別するためのキー識別構成部分からなる請求項５０のユーザー・インターフェース・デバイス。
【請求項７１】
タッチ高感度画面上に表示された複数ボタンで、各ボタンは複数文字または機能と関連付けられており、
１つまたはそれ以上のボタンに係る力を検出する力ディテクターと、
タッチ高感度画面上で行う動作の作動方向を感知する、横作動センサーと、
検出される力および作動方向に基づき、最低１つの文字または機能を選択する選択構成部分とからなる、ユーザー・インターフェース・デバイス。
【請求項７２】
横作動センサーは、方向センサーと距離センサーからなり、横動作センサーが検出する横動作と距離センサーが感知する距離値に基づき、作動方向を感知する請求項７１のユーザー・インターフェース・デバイス。
【請求項７３】
更に検出される力および作動方向に基づき選択する文字または機能を表示する出力デバイスからなる請求項７１のユーザー・インターフェース・デバイス。
【請求項７４】
選択構成部分で選択する文字または機能は、力が検出されるボタンに関連付けられている請求項７１のユーザー・インターフェース・デバイス。
【請求項７５】
各ボタンに関連する各文字および機能は、更に作動方向に関連付けられている請求項７４のユーザー・インターフェース・デバイス。
【請求項７６】
一連のセンサー検出において、感知される作動方向または力のどちらが最初に検出されるかに関係なく、文字または機能の第一セットから、選択構成部分は選択し、ただし、力が初めに検出される場合、限度量以上で次に感知される作動方向は、力の検出から限度時間内に発生するものとし、また一連のセンサー検出において、力の検出に続く作動方向の感知が、力の検出から限度時間内に発生しない場合は、選択構成部分は文字または機能の第二セットから選択するものとする請求項７１のユーザー・インターフェース・デバイス。
【請求項７７】
更に、ケース内で移動可能な親指制御パッドを含む請求項７１のユーザー・インターフェース・デバイス。
【請求項７８】
方向センサーは更に親指制御パッドの作動方向を検出するよう構成されている請求項７１のユーザー・インターフェース・デバイス。
【請求項７９】
親指制御パッド動作は、複数のボタンを親指制御パッドの動きと同じ方向に動かす請求項７１のユーザー・インターフェース・デバイス。
【請求項８０】
ボタンは円形をしている請求項７１のユーザー・インターフェース・デバイス。
【請求項８１】
ボタンは六角形をしている請求項７１のユーザー・インターフェース・デバイス。
【請求項８２】
ケース内でスライド可能なように収まる複数の幾何学形のキーで、各キーは複数の文字または機能に付随し、複数のキーは別々にスライド可能であり、
複数キーのうちの１つまたはそれ以上に係る力を検出するよう構成された力ディテクターと、
複数キーの作動方向を感知するよう構成された横動作センサーと、
検出される力および感知される作動方向に基づき、最低１つの文字または機能を選択する選択構成部分と、
から成るユーザー・インターフェース・デバイス。